(57)【特許請求の範囲】
【請求項１】
刃体を有する剃刀ヘッドには両支持孔を互いに離間して設けるとともに、ホルダにはこの両支持孔に係入される支持突部を有する両支持アームを設け、剃刀ヘッドをその両支持孔で両支持アームの支持突部を中心に回動可能に支持してホルダに対し首振り可能にする首振り式剃刀において、
前記両支持孔は内周面により囲まれた遊嵌穴を有し、この遊嵌穴に支持突部を係入した状態でこの支持突部の外周面とこの遊嵌穴の内周面との間には剃刀ヘッドの移動許容空間を有し、
前記首振り方向を含む首振り面に沿い且つ両支持突部を結ぶ回動中心線に直交する方向へ剃刀ヘッドがホルダに対し平行移動する運動と、前記首振り面に直交する傾動面で剃刀ヘッドがホルダに対し傾動する運動とを前記遊嵌穴の移動許容空間の範囲で行い得るように、前記両支持アームの支持突部を前記両支持孔に遊嵌し、
前記ホルダで操作部を移動させて両支持アームを回動させることにより、この両支持アームを開閉動させて剃刀ヘッドの両支持孔を両支持アームの支持突部に対し係脱可能にし、
前記ホルダで操作部に対しプッシャを移動可能に支持するとともにこの操作部とプッシャとの間に弾性体を支持し、このプッシャを剃刀ヘッドに当接させた状態で、プッシャが剃刀ヘッドにより押さえられて生じる前記弾性体の弾性力により、両支持アームの支持突部に対し剃刀ヘッドの両支持孔が移動して位置決めされ、剃刀ヘッドがこの弾性体の弾性力に抗してホルダに対し運動可能であり、
前記弾性体の弾性力が、操作部と両支持アームとの間の連動部を介して両支持アームに対する閉動力として伝達される
ことを特徴とする首振り式剃刀。
【請求項２】
前記遊嵌穴の内周面のうち刃体の刃先の延設方向に沿う左右方向に直交し且つ刃体の厚み方向両側の面に平行な方向に沿う前後方向の両側にある前後両内周面間の幅が、刃体の厚み方向両側の面に直交する方向に沿う上下方向のうち下方側から上方側へ向うに従い次第に広がるように上下方向に対し傾斜し、
前記首振り方向を含む首振り面に沿う首振り運動は、前後傾動運動であり、
前記首振り方向を含む首振り面に沿い且つ両支持突部を結ぶ回動中心線に直交する方向へ剃刀ヘッドがホルダに対し平行移動する運動は、上下運動及び前後運動であり、
前記首振り面に直交する傾動面で剃刀ヘッドがホルダに対し傾動する運動は、左右傾動運動である
ことを特徴とする請求項１に記載の首振り式剃刀。
【発明の詳細な説明】
【０００１】
【発明の属する技術分野】
この発明は、剃刀ヘッドとこれを首振り可能に支持するホルダとを備えた首振り式剃刀に関するものである。
【０００２】
【従来の技術】
従来の首振り式剃刀においては、刃体を有する剃刀ヘッドに両支持孔が互いに離間して形成されているとともに、ホルダにはこの両支持孔に係入される支持突部を有する両支持アームが開閉動可能に取り付けられ、剃刀ヘッドがその両支持孔で両支持アームの支持突部を中心に回動可能に支持されてホルダに対し首振り可能になっている。
【０００３】
【発明が解決しようとする課題】
使用時には剃刀ヘッドに対し前記首振りの方向以外の方向にも力が加わることもある。その場合には、剃刀ヘッドに無理な力がかかるとともに、剃刀ヘッドが顔面等に対し確実に接触しにくくなる。そのため、剃り味が悪くなるとともに、使いにくくなる。
【０００４】
本発明は、首振り式剃刀において既存の両支持孔を改良するだけの簡単な構造により、剃刀ヘッドに対し力のかかる方向へ追従して動く運動機能を持たせ、剃り味を向上させるとともに使い易くすることを目的にしている。
【０００５】
【課題を解決するための手段】
後記実施形態の図面（図１〜６に示す第一実施形態、図７に示す第二実施形態）の符号を援用して本発明を説明する。
【０００６】
請求項１の発明にかかる首振り式剃刀は、第一実施形態及び第二実施形態に対応し、下記のように構成されている。
刃体（８）を有する剃刀ヘッド（１）には両支持孔（９）を互いに離間して設けている。ホルダ（２）にはこの両支持孔（９）に係入される支持突部（１４）を有する両支持アーム（４）を設けている。剃刀ヘッド（１）をその両支持孔（９）で両支持アーム（４）の支持突部（１４）を中心に回動可能に支持してホルダ（２）に対し首振り可能にしている。前記両支持孔（９）は内周面（２５ａ）により囲まれた遊嵌穴（２５）を有し、この遊嵌穴（２５）に支持突部（１４）を係入した状態でこの支持突部（１４）の外周面とこの遊嵌穴（２５）の内周面（２５ａ）との間には剃刀ヘッド（１）の移動許容空間（Ｇ）を有している。
【０００９】
前記首振り方向（θ）を含む首振り面（Ｖ）に沿い且つ両支持突部（１４）を結ぶ回動中心線（Ｃ）に直交する方向（Ｘ，Ｙ）へ、剃刀ヘッド（１）がホルダ（２）に対し平行移動する運動と、前記首振り面（Ｖ）に直交する傾動面（Ｗ）で、剃刀ヘッド（１）がホルダ（２）に対し傾動する運動とを前記遊嵌穴（２５）の移動許容空間（Ｇ）の範囲で行い得るように、前記両支持アーム（４）の支持突部（１４）を前記両支持孔（９）に遊嵌している。
【００１０】
前記ホルダ（２）で操作部（５）を移動させて両支持アーム（４）を回動させることにより、この両支持アーム（４）を開閉動させて剃刀ヘッド（１）の両支持孔（９）を両支持アーム（４）の支持突部（１４）に対し係脱可能にしている。前記ホルダ（２）で操作部（５）に対しプッシャ（６）を移動可能に支持している。この操作部（５）とプッシャ（６）との間に弾性体（７）を支持している。このプッシャ（６）を剃刀ヘッド（１）に当接させた状態で、プッシャ（６）が剃刀ヘッド（１）により押さえられて生じる前記弾性体（７）の弾性力（Ｆ）により、両支持アーム（４）の支持突部（１４）に対し剃刀ヘッド（１）の両支持孔（９）が移動して位置決めされ、剃刀ヘッド（１）がこの弾性体（７）の弾性力（Ｆ）に抗してホルダ（２）に対し運動し得る。前記弾性体（７）の弾性力が、操作部（５）と両支持アーム（４）との間の連動部（１９，１５）を介して両支持アーム（４）に対する閉動力（Ｐ）として伝達される。
請求項２の発明は、第二実施形態に対応し、請求項１の発明を前提として下記のように構成されている。
前記遊嵌穴（２５）の内周面（２５ａ）のうち刃体（８）の刃先（８ａ）の延設方向に沿う左右方向（Ｚ）に直交し且つ刃体（８）の厚み方向両側の面に平行な方向に沿う前後方向（Ｙ）の両側にある前後両内周面（２５ａ）間の幅が、刃体（８）の厚み方向両側の面に直交する方向に沿う上下方向（Ｘ）のうち下方側から上方側へ向うに従い次第に広がるように上下方向（Ｘ）に対し傾斜している。前記首振り方向（θ）を含む首振り面（Ｖ）に沿う首振り運動は、前後傾動運動である。前記首振り方向（θ）を含む首振り面（Ｖ）に沿い且つ両支持突部（１４）を結ぶ回動中心線（Ｃ）に直交する方向（Ｘ，Ｙ）へ剃刀ヘッド（１）がホルダ（２）に対し平行移動する運動は、上下運動及び前後運動である。前記首振り面（Ｖ）に直交する傾動面（Ｗ）で剃刀ヘッド（１）がホルダ（２）に対し傾動する運動は、左右傾動運動である。
【００１１】
【発明の実施形態】
〔第一実施形態〕
まず、本発明の第一実施形態にかかる首振り式剃刀を図１〜６を参照して説明する。
【００１２】
首振り式剃刀は、図１に示すように、剃刀ヘッド１とこれを首振り可能に支持するホルダ２とを備えている。このホルダ２の頭部３内には、図２及び図３に示すように、後で詳述する両支持アーム４と操作部５とプッシャ６と弾性体７とを備えている。
【００１３】
＜前記剃刀ヘッド１＞
この剃刀ヘッド１の表側（上側）で三枚の刃体８が前側へ露出し、その裏側（下側）において左右両側（刃体８の刃先８ａの延設方向である左右方向Ｚの両側）に支持孔９（後で詳述）が左右方向Ｚへ互いに離間して形成されているとともに、この左右両支持孔９間で左右方向Ｚの中央に押圧面１０が形成されている。
【００１４】
なお、前記左右方向Ｚに直交する各方向のうち、刃体８の面（刃体８の厚み方向両側の面）に直交する方向を上下方向Ｘ、この刃体８の面に平行な方向を前後方向Ｙとする。
【００１５】
＜前記両支持アーム４＞
この両支持アーム４は、前記ホルダ２の頭部３内の左右両側で固定中心支軸１１により左右方向Ｚへ回動可能に支持され、この左右両支軸１１から延設された支持腕部１２と連動腕部１３とからなる。この左右両支持腕部１２の先端部は、ホルダ２の頭部３の上部から外側へ突出し、その外側で相対向する支持突部１４を有している。ホルダ２の頭部３内においてこの左右両連動腕部１３の先端部には連動凸部１５（連動部）が左右両支軸１１間で相対向して形成されている。この左右両支持アーム４が左右両支軸１１（前後方向Ｙへ延びる軸心１１ａ）を中心に回動すると、左右両支持腕部１２の支持突部１４が左右方向Ｚへ互いに接近離間して開閉動する。
【００１６】
＜前記操作部５＞
この操作部５は、ホルダ２の頭部３内において前記左右両支持アーム４の連動腕部１３間で、上下方向Ｘへ移動可能に挿嵌されている。この操作部５の下部には指当て部１６が形成され、ホルダ２の頭部３の下部から外側へ突出している。この操作部５の上部内には案内孔１７が上下方向Ｘへ延びるように形成され、その上側で開放されている。この操作部５の上部後側にはストッパ孔１８が上下方向Ｘへ延びるように形成され、その前側で案内孔１７に連通している。この操作部５の左右両側部には連動凹部１９（連動部）が形成されている。この左右両連動凹部１９には前記左右両支持アーム４の連動凸部１５が係合されている。この操作部５は、ホルダ２の頭部３内に形成された上下両ストッパ面２０ａ，２０ｂ間の範囲で上下方向Ｘへ移動する。この操作部５と左右両支持アーム４との間の左右両連動凹凸部１９，１５は、左右両支持アーム４の回動中心線（前記左右両支軸１１の軸心１１ａ）を共に含む面に対し直交し且つ一方の回動中心線及び他方の回動中心線を通る互いに平行な両境界面Ａ間の内側範囲Ｓに設けられている。
【００１７】
＜前記プッシャ６＞
このプッシャ６は、上側の頭部２１と下側の尻部２２とからなり、この尻部２２で前記操作部５の案内孔１７にその上側から挿嵌されている。この尻部２２の後側にはストッパ突起２３が形成され、前記操作部５のストッパ孔１８に係入されている。この頭部２１は、前記左右両支持アーム４の支持突部１４間でホルダ２の頭部３の上部から突出し、その先端部に押圧部２４を有している。プッシャ６は、そのストッパ突起２３でストッパ孔１８の上下両端部に当接し得る範囲で、上下方向Ｘへ移動する。
【００１８】
＜前記弾性体７＞
この弾性体７は、圧縮コイルばねであって、左右両支持アーム４の回動中心線（前記左右両支軸１１の軸心１１ａ）を共に含む面に対し直交し且つ一方の回動中心線及び他方の回動中心線を通る互いに平行な両境界面Ａ間の内側範囲Ｓで、しかも、前記左右両連動凹凸部１９，１５間で、前記操作部５の案内孔１７に挿入されて操作部５とプッシャ６の尻部２２との間に支持されている。
【００１９】
＜前記剃刀ヘッド１の左右両支持孔９＞
図２（ｂ）、図３（ｂ）及び図４に示すように、この各支持孔９は、内周面２５ａと底面２５ｂとにより囲まれた遊嵌穴２５を有している。この遊嵌穴２５は、底面２５ｂに面する側で開口２５ｃにより開放され、上下方向Ｘへ延設されている。
【００２０】
＜図２に示すように剃刀ヘッド１をホルダ２に支持した状態＞
プッシャ６の頭部２１の押圧部２４を剃刀ヘッド１の押圧面１０に当てがった状態で、操作部５を下動位置にすると、左右両支持アーム４は、それらの連動凸部１５と操作部５の左右両連動凹部１９との係合により回動して、左右両支持突部１４で互いに接近して閉動する。そのため、この左右両支持突部１４が剃刀ヘッド１の左右両支持孔９の遊嵌穴２５に係入されてその底面２５ｂに当接する。プッシャ６は弾性体７により付勢されて剃刀ヘッド１を圧接する。
【００２１】
プッシャ６が剃刀ヘッド１により押さえられて生じる前記弾性体７の弾性力Ｆにより、左右両支持アーム４の支持突部１４に対し左右両支持孔９の遊嵌穴２５が図４に示すように上方へ移動して位置決めされ、左右両支持突部１４が左右両遊嵌穴２５の最下端に位置する。剃刀ヘッド１は、このプッシャ６による圧接状態で静止する中立位置を取る。
【００２２】
前後方向Ｙで、遊嵌穴２５の前後両内周面２５ａ間幅は、上下方向Ｘの全体で、支持突部１４の前後両外周面間寸法にほぼ等しくなっている。そのため、この支持突部１４の前後両外周面が遊嵌穴２５の前後両内周面２５ａに接触する。
【００２３】
上下方向Ｘで、遊嵌穴２５の上下両内周面２５ａ間長さは、支持突部１４の上下両外周面間寸法よりも十分に大きくなっている。そのため、この支持突部１４の上下両外周面とこの遊嵌穴２５の上下両内周面２５ａとの間で遊嵌穴２５には、剃刀ヘッド１の移動許容空間Ｇ（図４参照）が生じ得る。
【００２４】
＜図３に示すように剃刀ヘッド１をホルダ２から分離する途中の状態＞
図２に示す状態から、操作部５を弾性体７の付勢力に抗して上方へ移動させると、左右両支持アーム４が左右両連動凹凸部１９，１５を介して回動し、左右両支持突部１４で互いに離間して開動する。そのため、左右両支持アーム４の支持突部１４が剃刀ヘッド１の左右両支持孔９の遊嵌穴２５から離脱し、剃刀ヘッド１は左右両支持アーム４から分離される。この剃刀ヘッド１の分離後、操作部５を離すと、図２（ｂ）に示すように、操作部５が弾性体７の付勢力により下動位置に戻るとともに、左右両支持アーム４が閉動状態に戻る。
【００２５】
＜使用時における剃刀ヘッド１の各種運動＞
＊  図４に示す首振り運動
図１，２で示した剃刀ヘッド１の中立位置（図４の実線）で、使用時に剃刀ヘッド１に対し所定方向の力が加わると、図４の想像線で示すように、剃刀ヘッド１は、プッシャ６による圧接力（前記弾性体７の弾性力Ｆ）に抗して、左右両支持孔９の遊嵌穴２５で左右両支持アーム４の支持突部１４を中心に往復回動し、その中立位置を基準にしてホルダ２に対し首振り方向θへ往復前後傾動する。
【００２６】
なお、前記上下方向Ｘ、前後方向Ｙ及び左右方向Ｚは、それぞれ、この首振り方向θ以外の方向であって、この上下方向Ｘ及び前後方向Ｙは首振り方向θを含む首振り面Ｖ（図１，４参照）に沿い且つ左右両支持突部１４を結ぶ回動中心線Ｃに直交し、この左右方向Ｚはこの回動中心線Ｃに沿う。
【００２７】
＊  図５に示す上下運動
図１，２及び図５（ａ）で示した剃刀ヘッド１の中立位置で、使用時に剃刀ヘッド１に対し所定方向の力が加わると、図５（ｂ）に示すように、左右両支持孔９の遊嵌穴２５で左右両支持アーム４の支持突部１４がプッシャ６による圧接力（前記弾性体７の弾性力Ｆ）に抗して上下方向Ｘへ相対移動する。そのため、剃刀ヘッド１はその中立位置を基準にしてホルダ２に対し上下方向Ｘへ往復平行移動する。
【００２８】
＊  図６に示す左右傾動運動
図１，２及び図６（ａ）で示した剃刀ヘッド１の中立位置で、使用時に剃刀ヘッド１に対し所定方向の力が加わると、図６（ｂ）及び図６（ｃ）に示すように、左右両支持孔９の遊嵌穴２５で左右両支持アーム４の支持突部１４がプッシャ６による圧接力（前記弾性体７の弾性力Ｆ）に抗して上下方向Ｘへ相対移動する。そのため、剃刀ヘッド１はその中立位置を基準にしてホルダ２に対し前記首振り面Ｖに対し直交する傾動面Ｗ（図１，２参照）上で往復左右傾動する。
【００２９】
＊  組合わせ運動
上記の首振り運動（前後傾動運動）と上下運動と左右傾動運動は、それぞれ単独で行い得るが、それらの運動を適宜組合わせた運動も行い得る。
【００３０】
＜第一実施形態の特徴＞
第一実施形態は下記＊の特徴（後記する他の技術的思想以外）を有する。
＊  首振り式剃刀において剃刀ヘッド１は、本来の首振り方向θばかりではなく、それ以外の方向にも運動を行い得る。例えば、前述したように、図５に示す上下運動や図６に示す左右傾動運動を行う。そのため、使用時、剃刀ヘッド１は、力のかかる方向へ追従して動く。従って、剃り味が向上するとともに、使い易くなる。
【００３１】
＊  上記運動機能を剃刀ヘッド１に付与する場合、首振り式剃刀において既存の左右両支持孔９に遊嵌孔２５を形成し、この左右両遊嵌孔２５に左右両支持アーム４の支持突部１４を遊嵌できるようにした。従って、首振り式剃刀において既存の左右両支持孔９を改良するだけの簡単な構造により、剃刀ヘッド１に上記運動機能を容易に持たせることができる。
【００３２】
＊  図２に示すように剃刀ヘッド１をホルダ２に支持した状態では、プッシャ６の頭部２１の押圧部２４が剃刀ヘッド１の押圧面１０により押されるため、弾性体７（圧縮コイルばね）が収縮して弾性力Ｆが生じる。この弾性力Ｆは、操作部５の左右両連動凹部１９と左右両支持アーム４の連動凸部１５とを介して、左右両支持アーム４の回動力（支軸１１回りの矢印参照）として働く。さらに、この回動力は、剃刀ヘッド１の左右両支持孔９に対し左右両支持アーム４の支持突部１４が係入される閉動力Ｐとして伝達される。そのため、弾性体７に生じ得る弾性力Ｆとしては、操作部５を前方へ押した場合の反発力ばかりではなく、プッシャ６による反発力も加わる。従って、首振り式剃刀においてプッシャ６という既存の部品を有効利用するだけの簡単な構造で、弾性体７の弾性力Ｆを強めて左右両支持アーム４が不用意に開動しないように改良し、左右両支持アーム４に対する剃刀ヘッド１の離脱を防止することができる。また、剃刀ヘッド１の運動が安定し、より一層剃り味が向上するとともに使い易くなる。
【００３３】
＊  前述した弾性体７（圧縮コイルばね）の弾性力Ｆにより、左右両支持アーム４の支持突部１４に対し左右両支持孔９の遊嵌孔２５が相対移動して位置決めされ、剃刀ヘッド１がこの弾性体７の弾性力Ｆに抗してホルダ２に対し運動し得る。そのため、剃刀ヘッド１の運動が安定する。従って、より一層剃り味が向上するとともに使い易くなる。
【００３４】
〔第二実施形態〕
次に、本発明の第二実施形態にかかる首振り式剃刀を第一実施形態との相違点を中心に図７を参照して説明する。
【００３５】
この第二実施形態では、前記第一実施形態において剃刀ヘッド１の左右両支持孔９の遊嵌穴２５を下記＊のように変更している。
＊  前後方向Ｙで遊嵌穴２５の前側内周面２５ａと後側内周面２５ａとの間の幅が遊嵌穴２５の最下端隅部から上方へ向かうに従い次第に広がるように、この前側内周面２５ａ及び後側内周面２５ａを上下方向Ｘに対し傾斜させている。左右両支持アーム４の支持突部１４は弾性体７の弾性力Ｆにより左右両遊嵌穴２５の最下端隅部に位置する。この支持突部１４の上方で遊嵌穴２５に移動許容空間Ｇができる。
【００３６】
使用時における剃刀ヘッド１の各種運動については、第一実施形態において既述した首振り運動（前後傾動運動）と上下運動と左右傾動運動に加えて、さらに下記＊の前後運動と組合わせ運動とを行う。従って、より一層剃り味が向上するとともに使い易くなる。
【００３７】
＊  図７に示す上下運動及び前後運動
図７（ａ）に示す剃刀ヘッド１の中立位置で、使用時に剃刀ヘッド１に対し所定方向の力が加わると、図７（ｂ）及び図７（ｃ）に示すように、左右両支持孔９の遊嵌穴２５で左右両支持アーム４の支持突部１４がプッシャ６による圧接力（前記弾性体７の弾性力Ｆ）に抗して上下方向Ｘ及び前後方向Ｙへ相対移動する。そのため、剃刀ヘッド１はその中立位置を基準にしてホルダ２に対し上下方向Ｘ及び前後方向Ｙへ往復移動する。
【００３８】
＊  組合わせ運動
上記の首振り運動（前後傾動運動）と上下運動と左右傾動運動と前後運動は、それぞれ単独で行い得るが、それらの運動を適宜組合わせた運動も行い得る。
【００３９】
〔他の実施形態〕
前記各実施形態以外にも下記＊のように構成してもよい。
＊  図示しないが、前記左右両支持アーム４の支持突部１４を結ぶ回動中心線Ｃに沿う左右方向Ｚへ、剃刀ヘッド１がホルダ２に対し平行移動する運動を行い得るように、左右両支持突部１４を左右両支持孔９の遊嵌穴２５に遊嵌する。
【００４０】
＊  前記各実施形態では、左右両支持孔９の遊嵌穴２５が凹状に形成されて内周面２５ａと底面２５ｂと開口２５ｃとを有している。図示しないが、この遊嵌穴２５に代えて、底面をなくして開放した遊嵌孔を採用する。
【００４１】
＊  前記実施形態では、左右両支持アーム４の閉動により剃刀ヘッド１が左右両支持アーム４に支持されるとともに、左右両支持アーム４の開動により剃刀ヘッド１が左右両支持アーム４から離脱できるようになっている。逆に、左右両支持アーム４の開動により剃刀ヘッド１を左右両支持アーム４に支持するとともに、左右両支持アーム４の閉動により剃刀ヘッド１を左右両支持アーム４から離脱できるようにする。
【００４４】
【発明の効果】
請求項１の発明にかかる首振り式剃刀によれば、両支持孔（９）の遊嵌穴（２５）の移動許容空間（Ｇ）の範囲で剃刀ヘッド（１）が運動するので、剃刀ヘッド（１）にあって既存の両支持孔（９）を改良するだけの簡単な構造により、剃刀ヘッド（１）に対し、本来の首振り方向（θ）ばかりではなく、首振り方向（θ）を含む首振り面（Ｖ）に沿い且つ両支持突部（１４）を結ぶ回動中心線（Ｃ）に直交する方向（Ｘ，Ｙ）や、前記首振り面（Ｖ）に直交する傾動面（Ｗ）で、力に追従して動く運動機能を持たせ、剃り味を向上させるとともに使い易くすることができる。
【００４５】
また、プッシャ（６）という既存の部品を有効利用するだけの簡単な構造で、弾性体（７）の弾性力（Ｆ）を強めて両支持アーム（４）が不用意に開動しないように改良し、両支持アーム（４）に対する剃刀ヘッド（１）の離脱を防止することができるので、剃刀ヘッド（１）の運動が安定して、より一層剃り味が向上するとともに使い易くなる。
さらに、弾性体（７）の弾性力（Ｆ）が、操作部（５）と両支持アーム（４）との間の連動部（１９，１５）を介して両支持アーム（４）に対する閉動力（Ｐ）として伝達されるので、両支持アーム（４）に対する剃刀ヘッド（１）の離脱を防止して剃刀ヘッド（１）の運動を安定させ、より一層剃り味が向上するとともに使い易くなる。
請求項２の発明によれば、遊嵌穴（２５）の前後両内周面（２５ａ）間の幅を下方側から上方側へ向うに従い次第に広がるように上下方向（Ｘ）に対し傾斜させたので、剃刀ヘッド（１）は前後傾動運動と左右傾動運動と上下運動と前後運動とを行うことができ、力に追従して動く運動機能がより一層向上し、剃り味を向上させるとともに使い易くすることができる。
【図面の簡単な説明】
【図１】  （ａ）は第一実施形態にかかる首振り式剃刀において剃刀ヘッドをホルダに支持した状態を示す側面図であり、（ｂ）は同首振り式剃刀の剃刀ヘッドを前側から見た部分正面図である。
【図２】  （ａ）は図１（ａ）の首振り式剃刀において側面から見た部分断面図であり、（ｂ）は同じくホルダの頭部内を背面（後側）から見た部分断面図である。
【図３】  （ａ）は第一実施形態にかかる首振り式剃刀において剃刀ヘッドをホルダから分離する途中の状態を示す部分断面図であり、（ｂ）は同じくホルダの頭部内を示す部分断面図である。
【図４】  剃刀ヘッドの首振り運動を示す剃刀の部分側面図である。
【図５】  剃刀ヘッドの上下運動を示す剃刀の部分側面図である。
【図６】  剃刀ヘッドの左右傾動運動を示す剃刀の部分断面図である。
【図７】  第二実施形態にかかる首振り式剃刀において剃刀ヘッドの上下運動及び前後運動を示す剃刀の部分側面図である。
【符号の説明】
１…剃刀ヘッド、２…ホルダ、４…支持アーム、５…操作部、６…プッシャ、７…弾性体、８…刃体、９…支持孔、１４…支持突部、Ｃ…回動中心線、θ…首振り方向、Ｖ…首振り面、Ｘ…上下方向、Ｙ…前後方向、Ｚ…左右方向、Ｗ…傾動面。
【図１】
0004308939.tif 000002
【図２】
0004308939.tif 000003
【図３】
0004308939.tif 000004
【図４】
0004308939.tif 000005
【図５】
0004308939.tif 000006
【図６】
0004308939.tif 000007
【図７】
0004308939.tif 000008